【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
第１アイコン、第２アイコンを少なくとも含むロック画面が表示されるタッチスクリーンディスプレイと、
前記ロック画面に前記第１アイコンと、前記第２アイコンと、該第２アイコンに対応付けられたサブアイコンとが表示されているときに、前記第１アイコンと前記サブアイコンとを重ねるジェスチャーが検出されると、当該サブアイコンに対応付けられた特定の処理を実行させるコントローラとを備える装置。
【請求項２】
前記コントローラは、前記タッチスクリーンディスプレイに前記第１及び第２アイコンと前記サブアイコンを含む前記ロック画面が表示されているときに、前記第１アイコンと前記第２アイコンとを重ねるジェスチャーが検出されると、前記第２アイコンに対応付けられたアプリケーションを実行させる請求項１に記載の装置。
【請求項３】
前記コントローラは、前記サブアイコンが前記ロック画面に表示されていないときに、前記第１アイコンと前記第２アイコンとを重ねるジェスチャーが検出されると、前記サブアイコンを前記ロック画面上に表示させる請求項１に記載の装置。
【請求項４】
前記コントローラは、前記サブアイコンが前記ロック画面に表示されていないときに、前記第２アイコンをタップするジェスチャーが検出されると、前記サブアイコンを前記ロック画面上に表示させる請求項１に記載の装置。
【請求項５】
前記コントローラは、前記第１及び第２アイコンが前記ロック画面に表示されているときに、前記第１アイコンと前記第２アイコンとを重ねる第１ジェスチャーが検出されると、前記第２アイコンの周囲に当該第２アイコンに対応付けられた前記サブアイコンを表示させ、
前記第１アイコンを前記サブアイコンに重ねる第２ジェスチャーが検出されると、前記サブアイコンに対応付けられたアプリケーションを実行させるか、又は、前記サブアイコンに対応付けられた特定の処理を実行させる請求項１に記載の装置。
【請求項６】
前記タッチスクリーンディスプレイは、前記ロック画面が、第１アイコンが配置される第１領域と、第２アイコンが配置される第２領域とを含み、
前記第１領域は、閉じた境界で前記第２領域と区画され、かつ前記境界を含む前記第２領域に囲まれて配置される請求項１〜５の何れか一項に記載の装置。
【請求項７】
タッチスクリーンディスプレイを備える装置を制御する方法であって、
前記タッチスクリーンディスプレイに、第１アイコンおよび第２アイコンを少なくとも含むロック画面を表示させるステップと、
前記ロック画面に前記第１アイコンと、前記第２アイコンと、当該第２アイコンに対応付けられたサブアイコンとが表示されているときに、
前記第１アイコンと前記サブアイコンとを重ねるジェスチャーが検出されると、当該サブアイコンに対応付けられた特定の処理を実行させるステップと、
を含む方法。
【請求項８】
前記タッチスクリーンディスプレイに前記第１及び第２アイコンと前記サブアイコンを含むロック画面が表示されているときに、
前記第１アイコンと前記第２アイコンとを重ねるジェスチャーが検出されると、前記第２アイコンに対応付けられたアプリケーションを実行させるステップ
を含む請求項７に記載の方法。
【請求項９】
前記サブアイコンが前記ロック画面に表示されていないときに、前記第１アイコンと前記第２アイコンとを重ねるジェスチャーが検出されると、前記サブアイコンを前記ロック画面上に表示させるステップ
を含む請求項７に記載の方法。
【請求項１０】
前記サブアイコンが前記ロック画面に表示されていないときに、前記第２アイコンをタップするジェスチャーが検出されると、前記サブアイコンを前記ロック画面上に表示させるステップ
を含む請求項７に記載の方法。
【請求項１１】
前記第１及び第２アイコンがロック画面に表示されているときに、前記第１アイコンと前記第２アイコンとを重ねる第１ジェスチャーが検出されると、前記第２アイコンの周囲に当該第２アイコンに対応付けられた前記サブアイコンを表示させるステップと、
前記第１アイコンを前記サブアイコンに重ねる第２ジェスチャーが検出されると、前記サブアイコンに対応付けられたアプリケーションを実行させるか、又は、前記サブアイコンに対応付けられた特定の処理を実行させるステップとを含む
請求項７に記載の方法。
【請求項１２】
前記ロック画面に、第１アイコンが配置される第１領域と、第２アイコンが配置される第２領域とを表示させるステップを含み、
前記第１領域は、閉じた境界で前記第２領域と区画され、かつ前記境界を含む前記第２領域に囲まれて配置される請求項７〜１１の何れか一項に記載の方法。
【請求項１３】
タッチスクリーンディスプレイを備える装置において、
前記タッチスクリーンディスプレイに、第１アイコンおよび第２アイコンを少なくとも含むロック画面を表示させるステップと、
前記ロック画面に前記第１アイコンと、前記第２アイコンと、当該第２アイコンに対応付けられたサブアイコンとが表示されているときに、前記第１アイコンと前記サブアイコンとを重ねてリリースすると、当該サブアイコンに対応付けられた特定の処理を実行させるステップと、
を実行させるプログラム。
【請求項１４】
前記タッチスクリーンディスプレイに前記第１及び第２アイコンと前記サブアイコンを含むロック画面が表示されているときに、前記第１アイコンと前記第２アイコンとを重ねてリリースすると、前記第２アイコンに対応付けられたアプリケーションを実行させるステップを
実行させる請求項１３に記載のプログラム。
【請求項１５】
前記サブアイコンが前記ロック画面に表示されていないときに、前記第１アイコンと前記第２アイコンとを重ねてリリースすると、前記サブアイコンを前記ロック画面上に表示させるステップを
実行させる請求項１３に記載のプログラム。
【請求項１６】
前記サブアイコンが前記ロック画面に表示されていないときに、前記第２アイコンをタップすると、前記サブアイコンを前記ロック画面上に表示させるステップを実行させる
請求項１３に記載のプログラム。
【請求項１７】
前記第１及び第２アイコンがロック画面に表示されているときに、前記第１アイコンと前記第２アイコンとを重ねてリリースすると、前記第２アイコンの周囲に当該第２アイコンに対応付けられた前記サブアイコンを表示させるステップと、
前記第１アイコンを前記サブアイコンに重ねてリリースすると、前記サブアイコンに対応付けられたアプリケーションを実行させるか、又は、前記サブアイコンに対応付けられた特定の処理を実行させるステップを実行させる
請求項１３に記載のプログラム。
【請求項１８】
前記タッチスクリーンディスプレイの前記ロック画面に、第１アイコンが配置される第１領域と、第２アイコンが配置される第２領域とを表示させるステップを実行させ、
前記第１領域は、閉じた境界で前記第２領域と区画され、かつ前記境界を含む前記第２領域に囲まれて配置される請求項１３〜１７の何れか一項に記載のプログラム。
【手続補正２】
【補正対象書類名】明細書
【補正対象項目名】０００８
【補正方法】変更
【補正の内容】
【０００８】
本発明に係る装置は、１つの態様において、第１アイコン、第２アイコンを少なくとも含むロック画面が表示されるタッチスクリーンディスプレイと、ロック画面に第１アイコンと、第２アイコンと、第２アイコンに対応付けられたサブアイコンとが表示されているときに、第１アイコンとサブアイコンとを重ねるジェスチャーが検出されると、サブアイコンに対応付けられた特定の処理を実行させるコントローラとを備える。
【手続補正３】
【補正対象書類名】明細書
【補正対象項目名】０００９
【補正方法】変更
【補正の内容】
【０００９】
本発明に係る方法は、１つの態様において、タッチスクリーンディスプレイに、第１アイコンおよび第２アイコンを少なくとも含むロック画面を表示させるステップと、ロック画面に第１アイコンと、第２アイコンと、第２アイコンに対応付けられたサブアイコンとが表示されているときに、第１アイコンとサブアイコンとを重ねるジェスチャーが検出されると、サブアイコンに対応付けられた特定の処理を実行させるステップと、を含む。
【手続補正４】
【補正対象書類名】明細書
【補正対象項目名】００１０
【補正方法】変更
【補正の内容】
【００１０】
本発明に係るプログラムは、１つの態様において、タッチスクリーンディスプレイを備える装置において、タッチスクリーンディスプレイに、第１アイコンおよび第２アイコンを少なくとも含むロック画面を表示させるステップと、ロック画面に第１アイコンと、第２アイコンと、第２アイコンに対応付けられたサブアイコンとが表示されているときに、第１アイコンとサブアイコンとを重ねてリリースすると、サブアイコンに対応付けられた特定の処理を実行させるステップと、を実行させる。